(57)【要約】【課題】  簡単な構成で、より強力に通信波が遮蔽物を通り抜け通信することを可能とする遮蔽物越し無線通信システム及び遮蔽物越し無線通信具を提供する。【解決手段】  通信波が通り抜けにくい遮蔽物越しの通信を行う遮蔽物越し通信システム及び遮蔽物越し無線通信具であって、遮蔽物の一面に通信波の方向に揃えるリフレクターを有する第１のアンテナが配置され、遮蔽物の他面の、第１のアンテナの略対向する位置に第２のアンテナが配置されて、第１のアンテナからの通信波はリフレクターで方向を揃えられて遮蔽物に向かって送信され、遮蔽物を通過した通信波は第２のアンテナで受信され、第２のアンテナから送信され遮蔽物を通過した通信波は第１のアンテナのリフレクターで集められ受信されるように通信されるので、簡単な構成で、より強力に通信波が遮蔽物を通り抜け通信することができる遮蔽物越し通信システム及び遮蔽物越し無線通信具が得られる。【選択図】図１
2019193048.tif 000002
【特許請求の範囲】
【請求項１】
通信波が通り抜けにくい遮蔽物越しの通信を行う遮蔽物越し通信システムであって、
前記遮蔽物の一面に、前記通信波の方向を揃える第１のリフレクターを有する第１のアンテナが配置され、
前記遮蔽物の他面の、前記第１のアンテナの略対向する位置に第２のアンテナが配置されて、
前記第１のアンテナからの前記通信波は、前記第１のリフレクターで方向を揃えられて前記遮蔽物に向かって送信され、前記遮蔽物を通過した前記通信波は前記第２のアンテナで受信され、
前記第２のアンテナから送信され前記遮蔽物を通過した前記通信波は、前記第１のアンテナの前記第１のリフレクターで集められて受信され、
前記第１のアンテナと前記第２のアンテナとの間で通信が行われるように構成されている
ことを特徴とする遮蔽物越し通信システム。
【請求項２】
前記第１のリフレクターは、円弧面状の略放物面を有している
ことを特徴とする請求項１記載の遮蔽物越し通信システム。
【請求項３】
前記遮蔽物は、所定の厚さを有し面状に構成されている
ことを特徴とする請求項１または２記載の遮蔽物越し通信システム。
【請求項４】
前記第２のアンテナには、前記通信波の方向を揃える第２のリフレクターを有していて、
前記第２のアンテナからの前記通信波は、前記第２のリフレクターで方向を揃えられて前記遮蔽物に向かって送信され、
前記第１のアンテナから送信された前記通信波は、前記第２のアンテナの前記第２のリフレクターで集められて受信されるようにされている
ことを特徴とする請求項１または３記載の遮蔽物越し通信システム。
【請求項５】
前記第１のアンテナは第１の通信線によって第３のアンテナと接続され、前記第３のアンテナは第１の通信装置と通信可能に配置されており、
前記第２のアンテナは、第２の通信装置に備えられたアンテナであって、
前記第１の通信装置と前記第２の通信装置は、前記第３のアンテナ、前記第１の通信線、前記第１のアンテナ及び前記第２のアンテナを介して通信されるように構成されている
ことを特徴とする請求項１乃至４記載の遮蔽物越し通信システム。
【請求項６】
前記第１のアンテナは第１の通信線によって第３のアンテナと接続され、前記第３のアンテナは第１の通信装置と通信可能に配置されており、
前記第２のアンテナは第２の通信線によって第４のアンテナと接続され、前記第４のアンテナは第２の通信装置と通信可能に配置されており、
前記第１の通信装置と前記第２の通信装置は、前記第３のアンテナ、前記第１の通信線、前記第１のアンテナ、前記第２のアンテナ、前記第２の通信線及び前記第２のアンテナを介して通信されるように構成されている
ことを特徴とする請求項１乃至４記載の遮蔽物越し通信システム。
【請求項７】
前記遮蔽物は、水族館の水槽に使用されるアクリルガラスであって、
前記第１のアンテナは、前記水槽内にあって、前記アクリルガラスの一面に密着又は密接して配置され、
前記第２のアンテナは、前記水槽外にあって、前記アクリルガラスの、前記第１のアンテナの略対向する位置に配置され、
前記第１のアンテナと前記第２のアンテナとで通信されるよう構成されている
ことを特徴とする請求項１乃至６記載の遮蔽物越し通信システム。
【請求項８】
前記遮蔽物は、水族館の水槽に使用されるアクリルガラスであって、
前記第１のアンテナは、前記水槽内にあって、前記アクリルガラスの一面に密着又は密接して配置され、
前記第２のアンテナは、前記水槽外にあって、前記アクリルガラスの、前記第１のアンテナの略対向する位置に配置され、
前記第１の通信装置は水中カメラであって、
前記第２の通信装置はスマートフォンである
ことを特徴とする請求項５記載の遮蔽物越し通信システム。
【請求項９】
前記遮蔽物は、水族館の水槽に使用されるアクリルガラスであって、
前記第１のアンテナは、前記水槽内にあって、前記アクリルガラスの一面に密着又は密接して配置され、
前記第２のアンテナは、前記水槽外にあって、前記アクリルガラスの、前記第１のアンテナの略対向する位置に配置され、
前記第１の通信装置は水中カメラであって、
前記第２の通信装置は無線ルーターである
ことを特徴とする請求項６記載の遮蔽物越し通信システム。
【請求項１０】
前記遮蔽物は、建築物の壁又は床であって、
第１のアンテナは、前記壁又は床の一面の所定箇所に配置され、
第２のアンテナは、前記壁又は床の他面の前記第１のアンテナの略対向する位置に配置されて、
前記第１のアンテナと前記第２のアンテナとで、前記壁又は床越しに通信が行われるように構成されている
ことを特徴とする請求項１乃至６記載の遮蔽物越し通信システム。
【請求項１１】
通信波が通り抜けにくい遮蔽物越しの通信を行う遮蔽物越し通信システムに使用される遮蔽物越し通信具であって、
第５のアンテナと第３の通信線と第６のアンテナとを備え、
前記第５のアンテナは前記第３通信線の一端に接続され、前記第３通信線の他端には前記第６のアンテナが接続されるとともに、
前記第５のアンテナは前記通信波の方向を揃える第３のリフレクターを有している
ことを特徴とする遮蔽物越し通信具。
【請求項１２】
前記第３のリフレクターは、円弧面状の略放物面を有している
ことを特徴とする請求項１１記載の遮蔽物越し通信具。
【請求項１３】
前記第６のアンテナは前記通信波の方向を揃える第４のリフレクターを有している
ことを特徴とする請求項１１または１２記載の遮蔽物越し通信具。
【請求項１４】
通信波が通り抜けにくい遮蔽物越しの通信を行う遮蔽物越し通信システムに使用される遮蔽物越し通信具であって、
第７のアンテナと第４の通信線とコネクターとを備え、
前記第７のアンテナは前記第４通信線の一端に接続され、前記第４通信線の他端には前記コネクターが接続されるとともに、
前記第７のアンテナは前記通信波の方向を揃える第４のリフレクターを有している
ことを特徴とする遮蔽物越し通信具。
【請求項１５】
前記第４のリフレクターは、円弧面状の略放物面を有している
ことを特徴とする請求項１１記載の遮蔽物越し通信具。
【発明の詳細な説明】
【技術分野】
【０００１】
本発明は遮蔽物越し無線通信システム及び遮蔽物越し無線通信具に関する。より詳細には、通信波が通り抜けにくい遮蔽物の一面に配置された第１のアンテナと、遮蔽物の他面に配置された第２のアンテナとの間で無線通信接続を可能とする遮蔽物越し無線通信システム及び遮蔽物越し無線通信具に関する。
【背景技術】
【０００２】
近年、無線ＬＡＮやＢｌｕｅｔｏｏｔｈ（登録商標）等の無線通信機能を備えた、多くの無線通信装置が提供されている。無線通信部は小さく組み込み易い大きさのものであり、スマートフォンやタブレット端末、ＰＤＡ（Ｐｅｒｓｏｎａｌ  Ｄｉｇｉｔａｌ  ａｓｓｉｓｔａｎｔ：携帯情報端末）、ノートパソコン、デジタルカメラ、携帯用ゲーム機等の比較的コンパクトな携帯型の無線通信装置が急速に普及している。
【０００３】
無線ＬＡＮのＷｉ―Ｆｉ（登録商標）等の無線通信規格の認証を受けた無線通信装置では、異なるメーカーの機器間での相互接続性が保証されている。そのため、このような無線通信装置では、例えばアクセスポイントを経由してインターネットへ接続したり、アクセスポイントを経由せずに通信端末同士が直接無線通信接続したりされる。例えば、無線通信で接続することにより、スマートフォンにデジタルカメラで写している映像を表示させ、スマートフォンを操作してデジタルカメラの撮影を開始させること等が行われる。
【０００４】
ところで、このような無線通信装置に使用される通信波は、通信波が通りにくい遮蔽物の影響を受けやすい。使用される通信波の周波数によっては、遮蔽物に対して回り込んだり、反射したりして通信することができるが、特に壁や床のように通信波が回り込みにくい遮蔽物に対しては、影響が大きくなる。そこで、一般には有線により、無線通信装置同士を通信させることが行われている。
【０００５】
ここで、遮蔽物を通信波が通り抜けられるかどうかは、通信波の強さと遮蔽物の材質次第ということになる。このため、簡単な構成で、より強力に通信波が遮蔽物を通り抜けすることを可能とする遮蔽物越し無線通信システム及び遮蔽物越し無線通信具が望まれてきている。
【０００６】
従来のこれらの遮蔽物に対応した無線通信システムとして、本出願人により提案された、特許文献１にて開示されたものがある。この無線通信システムは、水のような通信波が通りにくい遮蔽物に対して、伝達ケーブルにより通信するよう構成されたものである。
【０００７】
すなわち、両端にアンテナ部が設けられた伝達ケーブルを用いて、水中にある無線装置と、水面上又は水中にある無線装置とを通信可能に連結した無線通信システムである。通信波は、水中では水により吸収されてしまうが、水中にある無線装置の外殻体にアンテナ部を接合又は密接させることにより、通信波を通信波のままで通信をすることを可能としたものである。
【０００８】
また、これらの遮蔽物に対応した無線通信用補助具として、特許文献２にて開示されたものがある。この無線通信用補助具は、他の無線信号に妨害されず良好な通信環境を確保したり、無線信号が伝搬しにくい水中に所在する無線操作可能なカメラを、大きく変更することなく、水上又は陸上から無線操作したりすることを可能とするよう構成されたものである。
【０００９】
すなわち、無線通信用補助具として、芯線と網状線とを備えた同軸ケーブルを用いて、同軸ケーブルの両端の芯線を、カメラとスマートフォンのアンテナとの間で通信可能に配置するように構成したものである。他の無線信号に妨害されず良好な通信を可能とし、また水中撮影では、通信路に水が介在しないため、無線信号の大幅な減衰を伴うことなく、通信を行うことができる。
【先行技術文献】
【特許文献】
【００１０】
【特許文献１】特開２０１６−８６２５５号公報
【特許文献２】特開２０１６−１４００５２号公報
【発明の概要】
【発明が解決しようとする課題】
【００１１】
しかしながら、特許文献１に記載の技術では、水中にある無線装置と水の外にある通信装置との通信では、有線を用いて、一方のアンテナ部を水面上に出す必要があった。例えば水族館では、水槽はアクリルガラスで仕切られており、水槽内の水中カメラの撮影者等と水槽外の観客等はお互い姿はアクリルガラスを通して良く見えるのに、直接は無線通信することはできないという不都合があった。
【００１２】
また、特許文献２に記載の技術では、他の無線信号に妨害されず良好な通信環境を確保はできるが、水のような通信波が通りにくい遮蔽物の影響への対応については、無線通信用補助具により直接結ぶことが必要であるいう不都合があった。
【００１３】
本発明の目的は、簡単な構成で、より強力に通信波が遮蔽物を通り抜け通信することを可能とする遮蔽物越し無線通信システム及び遮蔽物越し無線通信具を提供することにある。
【課題を解決するための手段】
【００１４】
本発明は、上記の課題を解決するために、以下の構成を採用した。
すなわち、本出願人が先に提案した特許文献１に示されたような水中無線ＬＡＮ通信システム及び水中無線ＬＡＮ通信ケーブルを基本にし、例えばスクーバダイビングのトレーニング用水槽において実際に潜水する等して実験し、更に鋭意研究を重ねた結果、以下の構成を開発するに至ったものである。
【００１５】
本発明は、通信波が通り抜けにくい遮蔽物越しの通信を行う遮蔽物越し通信システムに関する。
そして、遮蔽物の一面に、通信波の方向を揃える第１のリフレクターを有する第１のアンテナが配置され、遮蔽物の他面の、第１のアンテナの略対向する位置に第２のアンテナが配置されて、第１のアンテナからの通信波は、第１のリフレクターで方向を揃えられて遮蔽物に向かって送信され、遮蔽物を通過した通信波は第２のアンテナで受信され、第２のアンテナから送信され遮蔽物を通過した通信波は、第１のアンテナの第１のリフレクターで集められて受信され、第１のアンテナと第２のアンテナとの間で通信が行われるように構成されていることを特徴とする。
【００１６】
また、第１のリフレクターは、円弧面状の略放物面を有していることを特徴とする。
【００１７】
また、遮蔽物は、所定の厚さを有し面状に構成されていることを特徴とする。
【００１８】
また、第２のアンテナには、通信波の方向を揃える第２のリフレクターを有していて、第２のアンテナからの通信波は、第２のリフレクターで方向を揃えられて遮蔽物に向かって送信され、第１のアンテナから送信された通信波は、第２のアンテナの第２のリフレクターで集められて受信されるように構成されていることを特徴とする。
【００１９】
また、第１のアンテナは第１の通信線によって第３のアンテナと接続され、第３のアンテナは第１の通信装置と通信可能に配置されており、第２のアンテナは、第２の通信装置に備えられたアンテナであって、第１の通信装置と第２の通信装置は、第３のアンテナ、第１の通信線、第１のアンテナ及び第２のアンテナを介して通信されるように構成されていることを特徴とする
【００２０】
また、第１のアンテナは第１の通信線によって第３のアンテナと接続され、第３のアンテナは第１の通信装置と通信可能に配置されており、第２のアンテナは第２の通信線によって第４のアンテナと接続され、第４のアンテナは第２の通信装置と通信可能に配置されており、第１の通信装置と第２の通信装置は、第３のアンテナ、第１の通信線、第１のアンテナ、第２のアンテナ、第２の通信線及び第２のアンテナを介して通信されるように構成されていることを特徴とする。
【００２１】
また、遮蔽物は、水族館の水槽に使用されるアクリルガラスであって、第１のアンテナは、水槽内にあって、アクリルガラスの一面に密着又は密接して配置され、第２のアンテナは、水槽外にあって、アクリルガラスの、第１のアンテナの略対向する位置に配置され、第１のアンテナと第２のアンテナとで通信されるよう構成されていることを特徴とする。
【００２２】
また、遮蔽物は、水族館の水槽に使用されるアクリルガラスであって、第１のアンテナは、水槽内にあって、アクリルガラスの一面に密着又は密接して配置され、第２のアンテナは、水槽外にあって、アクリルガラスの、第１のアンテナの略対向する位置に配置され、第１の通信装置は水中カメラであって、第２の通信装置はスマートフォンであることを特徴とする。
【００２３】
また、遮蔽物は、水族館の水槽に使用されるアクリルガラスであって、第１のアンテナは、水槽内にあって、アクリルガラスの一面に密着又は密接して配置され、第２のアンテナは、水槽外にあって、アクリルガラスの、第１のアンテナの略対向する位置に配置され、第１の通信装置は水中カメラであって、第２の通信装置は無線ルーターであることを特徴とする。
【００２４】
また、遮蔽物は、建築物の壁又は床であって、第１のアンテナは、壁又は床の一面の所定箇所に配置され、第２のアンテナは、壁又は床の他面の第１のアンテナの略対向する位置に配置されて、第１のアンテナと第２のアンテナとで、壁又は床越しに通信が行われるように構成されていることを特徴とする。
【００２５】
また、通信波が通り抜けにくい遮蔽物越しの通信を行う遮蔽物越し通信システムに使用される遮蔽物越し通信具であって、第５のアンテナと第３の通信線と第６のアンテナとを備え、第５のアンテナは第３通信線の一端に接続され、第３通信線の他端には第６のアンテナが接続されるとともに、第５のアンテナは通信波の方向を揃える第３のリフレクターを有していることを特徴とする。
【００２６】
また、第３のリフレクターは、円弧面状の略放物面を有していることを特徴とする。
【００２７】
また、第６のアンテナは通信波の方向を揃える第４のリフレクターを有していることを特徴とする。
【００２８】
また、通信波が通り抜けにくい遮蔽物越しの通信を行う遮蔽物越し通信システムに使用される遮蔽物越し通信具であって、第７のアンテナと第４の通信線とコネクターとを備え、第７のアンテナは第４通信線の一端に接続され、第４通信線の他端にはコネクターが接続されるとともに、第７のアンテナは通信波の方向を揃える第４のリフレクターを有していることを特徴とする。
【００２９】
そして、第４のリフレクターは、円弧面状の略放物面を有していることを特徴とする。
【発明の効果】
【００３０】
本発明によれば、上述の特徴を有することから、下記に示すことが可能となる。
【００３１】
通信波が通り抜けにくい遮蔽物越しの通信を行う遮蔽物越し通信システムであって、遮蔽物の一面に、通信波の方向を揃える第１のリフレクターを有する第１のアンテナが配置され、遮蔽物の他面の、第１のアンテナの略対向する位置に第２のアンテナが配置されて、第１のアンテナからの通信波は、第１のリフレクターで方向を揃えられて遮蔽物に向かって送信され、遮蔽物を通過した通信波は第２のアンテナで受信され、第２のアンテナから送信され遮蔽物を通過した通信波は、第１のアンテナの第１のリフレクターで集められて受信され、第１のアンテナと第２のアンテナとの間で通信が行われるように構成されているので、簡単な構成で、より強力に通信波が遮蔽物を通り抜け通信することが可能となる。
【００３２】
また、第１のリフレクターは、円弧面状の略放物面を有しているので、通信波を一方向に揃えるリフレクターをコンパクトに形成することが可能となる。
【００３３】
また、遮蔽物は、所定の厚さを有し面状に構成されているので、所定の厚さを有し面状に構成されているような遮蔽物について、遮蔽物越し通信が可能となる。
【００３４】
また、第２のアンテナには、通信波の方向を揃える第２のリフレクターを有していて、第２のアンテナからの通信波は、第２のリフレクターで方向を揃えられて遮蔽物に向かって送信され、第１のアンテナから送信された通信波は、第２のアンテナの第２のリフレクターで集められて受信されるように構成されているので、第２のアンテナから送信される通信波をより強力に遮蔽物を通り抜けさせて、また第１のアンテナから送信された通信波を集めることが可能となる。
【００３５】
また、第１のアンテナは第１の通信線によって第３のアンテナと接続され、第３のアンテナは第１の通信装置と通信可能に配置されており、第２のアンテナは、第２の通信装置に備えられたアンテナであって、第１の通信装置と第２の通信装置は、第３のアンテナ、第１の通信線、第１のアンテナ及び第２のアンテナを介して通信されるように構成されているので、第１の通信装置と第２の通信装置とは遮蔽物越しの通信を行うことができる。
【００３６】
また、第１のアンテナは第１の通信線によって第３のアンテナと接続され、第３のアンテナは第１の通信装置と通信可能に配置されており、第２のアンテナは第２の通信線によって第４のアンテナと接続され、第４のアンテナは第２の通信装置と通信可能に配置されており、第１の通信装置と第２の通信装置は、第３のアンテナ、第１の通信線、第１のアンテナ、第２のアンテナ、第２の通信線及び第２のアンテナを介して通信されるように構成されているので、第１の通信装置と第２の通信装置とは遮蔽物越しの通信を行うことができる。
【００３７】
また、遮蔽物は、水族館の水槽に使用されるアクリルガラスであって、第１のアンテナは、水槽内にあって、アクリルガラスの一面に密着又は密接して配置され、第２のアンテナは、水槽外にあって、アクリルガラスの、第１のアンテナの略対向する位置に配置され、第１のアンテナと第２のアンテナとで通信されるよう構成されているので、水族館のアクリルガラス越しの通信を行うことができる。
【００３８】
また、遮蔽物は、水族館の水槽に使用されるアクリルガラスであって、第１のアンテナは、水槽内にあって、アクリルガラスの一面に密着又は密接して配置され、第２のアンテナは、水槽外にあって、アクリルガラスの、第１のアンテナの略対向する位置に配置され、第１の通信装置は水中カメラであって、第２の通信装置はスマートフォンであるので、水槽内の水中カメラと水槽外のスマートフォンとがアクリルガラス越しに通信を行うことができる。
【００３９】
また、遮蔽物は、水族館の水槽に使用されるアクリルガラスであって、第１のアンテナは、水槽内にあって、アクリルガラスの一面に密着又は密接して配置され、第２のアンテナは、水槽外にあって、アクリルガラスの、第１のアンテナの略対向する位置に配置され、第１の通信装置は水中カメラであって、第２の通信装置は無線ルーターであるので、水槽内の水中カメラと水槽外の無線ルーターとがアクリルガラス越しの通信を行うことができる。
【００４０】
また、遮蔽物は、建築物の壁又は床であって、第１のアンテナは、壁又は床の一面の所定箇所に配置され、第２のアンテナは、壁又は床の他面の第１のアンテナの略対向する位置に配置されて、第１のアンテナと第２のアンテナとで、壁又は床越しに通信が行われるように構成されているので、壁又は床越しに通信することが可能となる。
【００４１】
また、通信波が通り抜けにくい遮蔽物越しの通信を行う遮蔽物越し通信システムに使用される遮蔽物越し通信具であって、第５のアンテナと第３の通信線と第６のアンテナとを備え、第５のアンテナは第３通信線の一端に接続され、第３通信線の他端には第６のアンテナが接続されるとともに、第５のアンテナは通信波の方向を揃える第３のリフレクターを有しているので、簡単な構成の遮蔽物越し通信具を得ることができる。
【００４２】
また、第３のリフレクターは、円弧面状の略放物面を有しているので、通信波を一方向に揃えるリフレクターをコンパクトに形成することが可能となる。
【００４３】
また、第６のアンテナは通信波の方向を揃える第４のリフレクターを有しているので、より強力に通信波を送受信することができる。
【００４４】
また、通信波が通り抜けにくい遮蔽物越しの通信を行う遮蔽物越し通信システムに使用される遮蔽物越し通信具であって、第７のアンテナと第４の通信線とコネクターとを備え、第７のアンテナは第４通信線の一端に接続され、第４通信線の他端にはコネクターが接続されるとともに、第７のアンテナは通信波の方向を揃える第４のリフレクターを有しているので、コネクターを用いて、例えば無線ルーターに遮蔽物越し通信具を直接接続することが可能となる。
【００４５】
そして、第４のリフレクターは、円弧面状の略放物面を有しているので、通信波を一方向に揃えるリフレクターをコンパクトに形成することが可能となる。
【図面の簡単な説明】
【００４６】
【図１】本発明の第１の実施形態に係る遮蔽物越し通信システムの構成を示す斜視図である。
【図２】本発明の第１の実施形態に係る遮蔽物越し通信システムの主要構成の回路例を示すブロック図である。
【図３】本発明の第１の実施形態に係る遮蔽物越し通信システムに使用される遮蔽物越し通信具の構成を示す斜視図である。
【図４】本発明の第１の実施形態に係る遮蔽物越し通信システムに使用される遮蔽物越し通信具の要部の構成を示す分解斜視図である。
【図５】本発明の第１の実施形態に係る遮蔽物越し通信システムに使用される遮蔽物越し通信具の要部を示す斜視図である。
【図６】本発明の第１の実施形態に係る遮蔽物越し通信システムに使用される遮蔽物越し通信具の要部の作用を示す模式図である。
【図７】本発明の第１の実施形態に係る遮蔽物越し通信システムの使用例を示す斜視図である。
【図８】本発明の第２の実施形態に係る遮蔽物越し通信システムに使用される遮蔽物越し通信具の要部を示す斜視図である。
【図９】本発明の第３の実施形態に係る遮蔽物越し通信システムに使用される遮蔽物越し通信具を示す斜視図である。
【図１０】本発明の第３の実施形態に係る遮蔽物越し通信システムに使用される遮蔽物越し通信具の要部の構成を示す分解斜視図である。
【図１１】本発明の第３の実施形態に係る遮蔽物越し通信システムに使用される遮蔽物越し通信具の要部を示す斜視図である。
【図１２】本発明の第４の実施形態に係る遮蔽物越し通信システムに使用される遮蔽物越し通信具を示す斜視図である。
【図１３】本発明の実施形態に係る遮蔽物越し通信システムの構成を示す模式図であり、（Ａ）は第１の実施形態、（Ｂ）は第４の実施形態、（Ｃ）及び（Ｄ）は第５の実施形態、（Ｅ）は第６の実施形態を示している。
【図１４】本発明の第７の実施形態に係る遮蔽物越し通信システムを示す模式図である。
【図１５】本発明の第８の実施形態に係る遮蔽物越し通信システムを示す模式図である。
【発明を実施するための形態】
【００４７】
以下、図面を参照して、本発明の実施形態について、詳細に説明する。
【００４８】
（第１の実施形態）
図１乃至図７を参照して、本発明の第１の実施形態について説明する。
本実施形態では、遮蔽物越し通信システム１（遮蔽物越し通信システム）は、防水撮像端末２（第１の通信装置）、第１の携帯端末３（第２の通信装置）と通信用ケーブル４（遮蔽物越し通信具）とから構成される。
【００４９】
ここで、防水撮像端末２と第１の携帯端末３とは、いずれもＷｉ―Ｆｉ（登録商標）認証を受けた無線ＬＡＮ装置であり、互いに連携操作がされる。防水撮像端末２と第１の携帯端末３とを無線ＬＡＮ通信接続することにより、通常の空気中における使用においてはコードレスで、第１の携帯端末３による防水撮像端末２の操作が可能となる。すなわち、防水撮像端末２の撮影前の画角や、撮影中の撮像映像又は撮影後の再生映像等について、第１の携帯端末３の画面上で確認することが可能となる。また、防水撮像端末２の撮像、撮像停止、再生等について、第１の携帯端末３により指示して操作することが可能となる。
【００５０】
図１は、水族館のアクリルガラス窓Ａを有する水槽において、防水撮像端末２と第１の携帯端末３とが、通信用ケーブル４を介してアクリルガラス窓Ａ越しに通信を行っている様子を示す斜視図である。すなわち、水面Ｓ下に位置する防水撮像端末２の撮っている魚Ｆ等の画像を確認しながら、水槽外の第１の携帯端末３により、アクリルガラス窓Ａ越しに操作が行われている様子を示している。図２は、遮蔽物越し通信システム１の主要構成の回路を示すブロック図である。図３は通信用ケーブル４の構成を示す斜視図であり、図４乃至図６は通信用ケーブル４の詳細を示す図である。図７は、遮蔽物越し通信システム１を使用者Ｕ１、Ｕ２が使用している一例を示す模式図である。
【００５１】
遮蔽物越し通信システム１の各部の詳細について、まず、防水撮像端末２について説明する。
図１に示すように、防水撮像端末２は、撮像端末用防水ケース２ａに収納された図示されないデジタルカメラであり、撮像端末用防水ケース２ａにより水深３０ｍ〜５０ｍの水中でも使用可能とするものである。防水撮像端末２は、動画又は／及び静止画を撮像して記録し、再生をする機能を有しており、撮像端末用防水ケース２ａの外部に設けられた操作部２ｂ、２ｂを介して、操作可能に構成される。防水撮像端末２は、略六面体の形状を有し、前面には撮像レンズ２ｃ、背面には液晶モニター２ｄがそれぞれ水密の窓で保護され配置されている。なお、撮像端末用防水ケース２ａの材料には、ＡＢＳ（アクリロニトリルブタジエンスチレン）樹脂やポリカーボネート樹脂、ガラス繊維入りのナイロン樹脂等の丈夫で剛性の高い樹脂が用いられる。
【００５２】
防水撮像端末２は、図示されない無線ＬＡＮ通信用の撮像端末アンテナ部２ｅを、撮像端末用防水ケース２ａの内部に収容された図示されないデジタルカメラに備えている。撮像端末アンテナ部２ｅは、ここでは背面の液晶モニター２ｄの下部に設けられている。すなわち、ユーザーＵが防水撮像端末２を持ち操作しているときに、撮像端末アンテナ部２ｅを手で覆わないような位置に、撮像端末アンテナ部２ｅは配設されている。持った手の指等により撮像端末アンテナ部２ｅが被われ、手によって無線ＬＡＮ信号が吸収される可能性を低くするためである。
【００５３】
図２に示すように、防水撮像端末２は、他に、撮像素子２ｆ、映像信号処理回路２ｇ、防水マイク２ｈ、音声信号処理回路２ｉ、制御部２ｊ、メモリ２ｋと映像表示信号処理回路２ｍ、無線通信部２ｎとを有している。
【００５４】
図２に示すように、撮像レンズ２ｃで撮像された映像は、撮像素子２ｆと映像信号処理回路２ｇにより信号処理され、制御部２ｊに入力される。また、防水マイク２ｈで収音された音声は、音声信号処理回路２ｉにより信号処理され、制御部２ｊに入力される。操作部２ｂの操作内容は、制御部２ｊに入力される。映像や音声等のデジタル信号は、制御部２ｊに接続されたメモリ２ｋにより記録され、また再生される。撮像レンズ２ｃで撮像された映像や映像が再生されたデジタル信号は、映像表示信号処理回路２ｍにより信号処理され液晶モニター２ｄに表示される。無線通信部２ｎは、デジタル信号を無線ＬＡＮ信号に変換し、又は無線ＬＡＮ信号をデジタル信号に変換する。制御部２ｊは、無線通信部２ｎを介して、撮像端末アンテナ部２ｅにより無線ＬＡＮ通信を行う。
【００５５】
次に、第１の携帯端末３について説明する。
図１に示すように、本実施形態では、遮蔽物越し通信システム１を構成する第１の携帯端末３はスマートフォンであり、略矩形で扁平な形状のケース３ａを有している。前面には被写体撮影用の図示されない撮像レンズ３ｂが配設される。（なお、水中無線ＬＡＮ通信システム１としては、この撮像レンズ３ｂの使用はされない。）背面には、タッチパネル付の表示部３ｃが配設される。このタッチパネルと、背面及び図示されない側面等に設けられた操作ボタンにより、操作部３ｄが形成される。
【００５６】
図２に示すように、第１の携帯端末３は無線ＬＡＮ通信用の携帯端末アンテナ部３ｅをケース３ａの内部に備える。第１の携帯端末３のケース３ａの前面部分は、一部を除き薄板状のアルミニウム等の金属で構成されているが、携帯端末アンテナ部３ｅ近傍を覆っている部分は、金属ではなく、ガラスや樹脂等の非金属の材質からなる。金属製のケース３ａは、無線ＬＡＮ信号を遮るからである。携帯端末アンテナ部３ｅ近傍を覆っている部分は非金属の材質から構成されるので、無線ＬＡＮ信号は、ケース３ａの前面部分に遮られることなく、通過する。
【００５７】
図２に示すように、第１の携帯端末３は、他に、スピーカ３ｆ、映像表示信号処理回路３ｇ、音声信号処理回路３ｈ、制御部３ｊ、メモリ３ｋと無線通信部３ｎとを有している。なお、記載は省略しているが、第１の携帯端末３はスマートフォンであるので、いわゆるスマートフォンとしての一般的な機能等のための回路を有しているということは勿論である。
【００５８】
図２に示すように、制御部３ｊは、無線通信部３ｎを介して、撮像端末アンテナ部３ｅにより無線ＬＡＮ通信を行う。無線通信部３ｎは無線ＬＡＮ信号をデジタル信号に変換し、又はデジタル信号を無線ＬＡＮ信号に変換する。操作部３ｄの操作により、受信された映像や音声等のデジタル信号は、制御部３ｊに接続されたメモリ３ｋにより記録され、又は再生される。また、受信された映像や音声等のデジタル信号は、映像信号処理回路３ｇを介して表示部３ｃに表示され、音声信号処理回路３ｈを介してスピーカ３ｆにより音声として出力される。
【００５９】
図２に示すように、防水撮像端末２の撮像開始、撮像停止、再生等の指示について、第１の携帯端末３の操作部３ｄの操作が行われると、操作部３ｄの操作内容は、制御部３ｊに入力される。制御部３ｊは、無線通信部３ｎを介して、撮像端末アンテナ部３ｅにより無線ＬＡＮ通信を行い、指示内容を伝送する。
【００６０】
また次に、通信用ケーブル４について説明する。
図１に示すように、通信用ケーブル４は、ケーブル部４ａ（通信線）と、ケーブル部４ａの両端にそれぞれ接続された第１の端末用アンテナ部４ｂ（第３のアンテナ）と窓越通信用アンテナ部４ｃ（第１のアンテナ）とを有する。第１の端末用アンテナ部４ｂは防水撮像端末２に接合され、窓越通信用アンテナ部４ｃはアクリルガラス窓Ａの一面の所定箇所に接合される。本実施形態では、第１の端末用アンテナ部４ｂと窓越通信用アンテナ部４ｃとは、略矩形の形状をなし、それぞれ樹脂等の非電導体の中空で水密なアンテナケース４ｄ、４ｄに収納され、同一の形状及び構成を有している。
【００６１】
図２に示すように、第１の端末用アンテナ部４ｂと窓越通信用アンテナ部４ｃのアンテナケース４ｄ、４ｄの内部には、無線ＬＡＮ信号を送受信可能な第１のアンテナ本体４ｅ、４ｅが配設されている。また、詳細は後述するが、アンテナケース４ｄ、４ｄの内面にはリフレクター４ｆ、４ｆが設けられ、第１のアンテナ本体４ｅ、４ｅからの通信波を一方向に方向を揃えて送信し、また送られてくる通信波を第１のアンテナ本体４ｅ、４ｅに集める機能を有している。
【００６２】
図１及び図２に示すように、第１の端末用アンテナ部４ｂは防水撮像端末２に、窓越通信用アンテナ部４ｃはクリルガラス窓Ａに水密に密着している。すなわち、図３示すように、第１の端末用アンテナ部４ｂと窓越通信用アンテナ部４ｃの裏面の、防水撮像端末２、第１の携帯端末３との接合される面には、接合部として粘着部４ｇ、４ｇが設けられている。本実施形態では、粘着部４ｇ、４ｇは、再剥離可能な粘着シートから構成される。粘着シートは再剥離可能なシートであるので、必要なときだけアンテナ部４ｂを無線ＬＡＮ装置に接合させ、不要なときは剥離させることができる。
【００６３】
ここで、使用される粘着シートは、片面が再剥離可能な粘着面、他面が強粘着のものであり、強粘着面を第１の端末用アンテナ部４ｂと窓越通信用アンテナ部４ｃの裏面に貼り付けて構成される。粘着部４ｇ、４ｇに粘着シート等のシート状のものを用いることにより、第１の端末用アンテナ部４ｂと窓越通信用アンテナ部４ｃを全体として薄く構成することが可能となる。
【００６４】
このような粘着部４ｇ、４ｇを持つ再剥離可能な粘着シートとしては、例えば、ＴＧシート（商品名）やウレシート（商品名）等がある。ＴＧシート（商品名）では、再剥離可能な粘着面に特殊なエラストマが用いられる。そのため、シートに付着したごみ、埃等は水洗いすれば除去が可能で、繰り返し使用できて、貼り付けた無線ＬＡＮ装置に移行が起こらず、痛めることがない。また、ウレシート（商品名）の場合も、水で拭けば再剥離可能な粘着面の粘着力が復活する。粘着シートの基材としては、ＰＥＴ（ポリエチレンテレフタレート）樹脂等の樹脂フィルムが用いられるが、発泡フォーム材のシートを用いてもよい。
なお、粘着部４ｇ、４ｇについて、再剥離可能な粘着シートではなく、通常の両面粘着シート等を用いても良い。
【００６５】
図１及び図２に示すように、窓越通信用アンテナ部４ｃは、窓越通信用アンテナ用保持具４ｈによって、クリルガラス窓Ａから簡単に外れないように保持されている。窓越通信用アンテナ用保持具４ｈは樹脂シートからなり、両端部に再剥離可能な窓越通信用アンテナ用保持具用粘着シート４ｉを有し、クリルガラス窓Ａに窓越通信用アンテナ用保持具４ｈを固定する。窓越通信用アンテナ用保持具４ｈと窓越通信用アンテナ部４ｃとは、図示されない粘着シートで固定されている。
また、第１の端末用アンテナ部４ｂに付いても、例えば面ファスナー付きのベルトを用いて、防水撮像端末２により強固に固定するようにしてもよい。
【００６６】
図４乃至図６に示すように、第１のアンテナ本体４ｅはアンテナケース４ｄの中空の位置に設けられている。図４に示すように、アンテナケース４ｄは、凹面を有するリフレクターケース４ｊと、凹部を閉じる蓋状ケース４ｋを有している。リフレクターケース４ｊの凹部内面は、側面から見たときに略放物線となるような、円弧面状の略放物面の形に形成され、薄い金属板、例えばアルミ箔からなるリフレクター４ｆ（第１のリフレクター）が貼付される。
なお、図３に示すように、第１の端末用アンテナ部４ｂのリフレクターケース４ｊの外面には把持部状の突起が形成されているが、これはアンテナ部の取り外し用の突起である。
【００６７】
図５に示すように、第１のアンテナ本体４ｅは略Ｔの字状に形成され、左右２本のアンテナ棒を有し、２本のアンテナ棒の中央近傍でケーブル部４ａの芯線とシールド用導体である網組み線がそれぞれ半田付けされて構成される。図４に示すように、ケーブル部４ａはオーリング４ｌとブッシュ４ｍにより、アンテナケース４ｄと水密に固定される。また、リフレクターケース４ｊと蓋状ケース４ｋは、額縁状の形状をなすケース固定テープｎにより水密に固定される。蓋状ケース４ｋの外面には、粘着部４ｇが貼付される。
【００６８】
図６に示すように、リフレクター４ｆの内面は側面から見たときに、略放物線を描くような円弧状の略放物面に形成され、第１のアンテナ本体４ｅは略放物線の略重心の位置に位置している。このような構成となっているため、第１のアンテナ本体４ｅからの通信波はリフレクター４ｆで反射されて、前方に方向を揃えて送信されるし、第１のアンテナ本体４ｅへの通信波はリフレクター４ｆで反射されて、第１のアンテナ本体４ｅで集められる。なお、第１のアンテナ本体４ｅをアンテナケース４ｄ内でしっかりと固定するため、アンテナケース４ｄ内にアンテナ保持部を設け、第１のアンテナ本体４ｅを保持し固定するように構成してもよい。
【００６９】
図５及び図６に示すように、窓越通信用アンテナ部４ｃは、円弧面状の略放物面に形成されたリフレクター４ｆの略重心の位置に、略直線状に形成された第１のアンテナ本体４ｅを有している。このようにアンテナ部をカマボコ形に形成したため、コンパクトな簡単な構成で、より強力に通信波の方向を揃えることを可能とした。
図６に示すように、通信波はリフレクター４ｆにより、アクリルガラス窓Ａの表面に対して直交する方向に送信される。
【００７０】
ここで、通信波の方向を揃えるため、いわゆる回転放物面を有するパラボラ型アンテナを用いてもよい。しかしながら、回転放物面を有するパラボラ型アンテナの場合には、アンテナを構成するために、大きな面積が必要となる。また、パラボラ型アンテナの前方に突出した受信部等がある場合には、アクリルガラス窓Ａに受信部等がぶつからないようにするため、かなり大がかりなものとなってしまう。
【００７１】
図６に示すように、アクリルガラス窓Ａは、所定の厚さを有し面状に構成されている。そして、アクリルガラス窓Ａの厚さは、水深にもよるが通常厚く構成されており、通信波が通りにくく、通り抜けさせるには増幅させたり、出力を上げたりして本来は強い通信波が必要となる。
【００７２】
本実施形態では、アクリルガラス窓Ａの内面に窓越通信用アンテナ部４ｃを配置させ、リフレクター４ｆにより通信波を束ねて方向を揃えて、内面と直交する方向に通信波を送信し、また、通信波をリフレクター４ｆで集める構成とした。そのため、強力に通信波がアクリルガラス窓Ａを通り抜けし、通信することを可能とした。また、アクリルガラス窓Ａの外面の、撮像端末アンテナ部２ｅと対向する位置に配置された第１の携帯端末３と、撮像端末用操作部２ｂとのアクリルガラス窓Ａ越しの通信を、簡単に可能とすることができた。
【００７３】
ここで、防水撮像端末２と第１の携帯端末３との通信について、図１及び図２を用いて、説明する。
図１及び図２に示すように、第１の端末用アンテナ部４ｂは防水撮像端末２のケース２ａに水密に接合しているので、撮像端末アンテナ部２ｅから発信された通信波は、水の影響を受けることなく、第１の端末用アンテナ部４ｂで受信される。ケーブル部４ａは無線ＬＡＮ信号をそのままの形で伝達できるので、第１の端末用アンテナ部４ｂで受信された通信波は、そのまま窓越通信用アンテナ部４ｃに伝達される。窓越通信用アンテナ部４ｃから送信された無線ＬＡＮ信号は、アクリルガラス窓Ａ越しに携帯端末アンテナ部３ｅにより受信される。
【００７４】
なお、以上の説明では、防水撮像端末２から通信用ケーブル４を介して第１の携帯端末３に、無線ＬＡＮ信号を送付する場合について説明したが、その逆の場合も同様である。すなわち、第１の携帯端末３から通信用ケーブル４を介して防水撮像端末２に、無線ＬＡＮ信号を送付する。このようにして、防水撮像端末２と第１の携帯端末３とは、防水撮像端末２が水中にあり、通信波を通しにくいアクリルガラス窓Ａがある場合であっても、アクリルガラス窓Ａ越しに互いに通信することが可能となる。
【００７５】
図７は、本実施形態の遮蔽物越し通信システム１の、水族館の水槽における一使用例を示したものである。水槽はアクリルガラス窓Ａによって仕切られ、撮影者であるユーザーＵ１が防水撮像端末２により撮影している魚Ｆ等の映像を、アクリルガラス窓Ａ越しに観客であるユーザーＵ２が、第１の携帯端末３で直接通信波を受けて、見たりして楽しんでいる様子である。
【００７６】
図７では、防水撮像端末２はユーザーＵ１が操作し、撮影していたが、防水撮像端末２に水中パンティルターを取り付けて、水槽内に三脚等で固定するように構成してもよい。ユーザーＵ２は、第１の携帯端末３を用いて水中パンティルターや防水撮像端末２を操作可能となる。例えば、防水撮像端末２を自分の方に向け、水槽中から見たユーザーＵ２の姿等を、その前を泳いでいる魚Ｆ等と共に、防水撮像端末２により撮影することができる。
【００７７】
また、例えばスクーバダイビングのトレーニング用水槽においては水深５ｍの深さのものがあるが、従来の技術では、防水撮像端末２により水深５ｍで撮影されている映像を、水槽外で見るには、少なくとも水面までの５ｍの長さの通信用ケーブル４が必要であった。本実施形態の遮蔽物越し通信システム１を用いれば、水槽の途中に設けられたアクリルガラス窓Ａ越しに通信が可能なので、もっと短い通信用ケーブル４での通信が可能となる。
【００７８】
また、水槽の底部にある水槽の弁の検査するようなとき、水槽内でユーザーＵ１により撮影されている映像を、水槽外の弁の専門家が映像を見ながらアクリルガラス窓Ａ越しに指示を与え、更に弁の詳細を撮影させて、その映像を確認することも可能となる。
また、例えば無線ＬＡＮ通信できる水中通話装置を使用して、アクリルガラス窓Ａ越しに互いに通話可能とすれば、水槽内で練習している者をインストラクターが水槽外から指示を出すこと等も可能となる。
【００７９】
ここで、本実施形態の防水撮像端末２として、撮像端末用防水ケース２ａに収納されたデジタルカメラを用いて説明したが、これに限定されることはない。例えば、いわゆるスポーツカメラ等と呼ばれる防水性能を持つ防水型デジタルカメラや、防水型の携帯端末、防水ケースに入った携帯端末等も防水撮像端末２として適用可能である。
【００８０】
またここで、本実施形態のアンテナ部のアンテナ構造は、窓越通信用だけでなく、第１の端末用アンテナ部４ｂとしても有用であり、防水撮像端末２の撮像端末アンテナ部２ｅと感度良く通信することを可能としている。また、通信波を束ねて方向を揃え、又は通信波を集めるアンテナとして、前述したパラボラ型アンテナ等と比べ、簡単な構成で、薄くコンパクトに形成することを可能とした。
また、本実施形態のリフレクター４ｆは、アンテナケース４ｄの内面側に設けたが、これに限定されず、例えば、アンテナケース４ｄの外面形状を円弧面状の略放物面に形成して、外面側にアルミ箔等を貼ったりして、リフレクター４ｆを設けてもよい。
【００８１】
すなわち、本実施形態のアンテナ部のアンテナ構造は、以下のように表現することができる。
通信波を束ねて方向を揃えて発信し、又は／及び、通信波を集めて受信するリフレクターを有するアンテナであって、リフレクターは円弧面状の略放物面の形に形成され、リフレクターの略放物面の略重心の位置に略直線状に形成されたアンテナ本体が配置されている構成を有するアンテナ。
なお、アンテナ本体の構成については、本実施形態の構成に限定されず、後述する実施形態の構成や、または様々な構成にしてもよいことは勿論である。
【００８２】
またここで、本実施形態でアクリルガラス窓Ａと呼んだのは、水族館等の水槽を仕切る透明壁の代表例として記載したものであり、例えば、ガラス等でできた透明壁についても、アクリルガラス窓Ａに含まれるものとする。
【００８３】
（第２の実施形態）
図８を参照して、本発明の第２の実施形態について説明する。
第２の実施形態は、前述した第１の実施形態とほぼ同一の構成を有しているが、第１のアンテナ本体４ｅの構造が異なっている。ここでは、異なっている部分だけ説明し、他の部分は第１の実施形態で説明した通りとする。
【００８４】
第１の実施形態では、図５に示すように、第１のアンテナ本体４ｅは略Ｔの字状に形成され、左右２本のアンテナ棒からなり、アンテナ棒にケーブル部４ａの芯線と網組み線がそれぞれ半田付けされる構成としたが、本実施形態では、図８に示すように、ケーブル部４ａの端部を略Ｔの字状にフォーミングするようにして第２のアンテナ本体４ｐを形成したものである。このように構成することにより、安価で少量生産にも適した通信用ケーブル４を得ることができる。
【００８５】
すなわち、ケーブル部４ａの端部の外皮を所定長さ取り除き、網組み線の部分を芯線から分離して少し捻るようにしてまとめる。そして、内側の被覆の付いたままの芯線を一方向に折り曲げ、少し捻られた網組み線を他方向に折り曲げて略Ｔの字状に形成する。このように、ケーブル部４ａの端部をフォーミングすることにより、簡単に第１のアンテナ本体４ｅを形成することができる。
【００８６】
（第３の実施形態）
図９乃至図１１を参照して、本発明の第３の実施形態について説明する。
第３の実施形態は、前述した第１の実施形態及び第２の実施形態とほぼ同一の構成を有しているが、アンテナケース４ｄとその内部の構成を変えたものである。ここでは、異なっている部分だけ説明し、他の使用例等は第１の実施形態で説明した通りとする。
【００８７】
第１の実施形態では、図５に示すように、第１のアンテナ本体４ｅは略Ｔの字状に形成され、左右２本のアンテナ棒からなり、アンテナ棒の中央近傍でケーブル部４ａの芯線と網組み線がそれぞれ半田付けされる構成とした。また、第２の実施形態では、図８に示すように、略Ｔの字状にケーブル部４ａの端部をフォーミングするようにして第２のアンテナ本体４ｐを形成した。本実施形態では、図１１に示すように、略Ｉの字状の形にケーブル部４ａの端部をフォーミングするようにして第３のアンテナ本体４ｑを形成している。
【００８８】
第３の実施形態において、第１の実施形態と同一の機能を有する部分については、同一の記号を付けて説明を省略する。また、図９においては、図３に記載した窓越通信用アンテナ用保持具４ｈの記載は省略して記載した。窓越通信用アンテナ用保持具４ｈは、窓越通信用アンテナ部４ｃをアクリルガラス窓Ａに取り付けたときの補強のためのものだからである。
【００８９】
図９に示すように、第１の端末用アンテナ部４ｂと窓越通信用アンテナ部４ｃとは、同一の形状及び構成を有している。図１０に示すように、アンテナケース４ｄ、４ｄに対してケーブル部４ａは側面から取り付けられる構成となっている。アンテナケース４ｄ、４ｄは、第１の実施形態と同様の工程により組み立てられる。
なおここで、図１０に示すように、蓋状ケース４ｋの内面側中央に突出した補強リブが設けられている。補強リブは、例えば窓越通信用アンテナ部４ｃを深い水深において、アクリルガラス窓Ａに取り付け作業をする際などに、大きな水圧によって蓋状ケース４ｋが破壊されるのを防止するためである。また、補強リブを、第３のアンテナ本体４ｑを所定の位置に保持するためのアンテナ保持具として用いてもよい。
【００９０】
図１１に示すように、第３のアンテナ本体４ｑはケーブル部４ａの端部をフォーミングするようにして形成される。すなわち、ケーブル部４ａの端部の外皮を所定長さ取り除き、更に通信波をシールドする網組み線を、被覆された芯線から同じく所定長さ取り除く。このようにしてアンテナ部を被覆された芯線から構成することにより、生産にも適した通信用ケーブル４を得ることができる。
【００９１】
ここで、第１の実施形態と同様に図６に示すように、リフレクター４ｆは側面から見たときに、略放物線を描くような円弧状の略放物面に形成され、第３のアンテナ本体４ｑは略放物線の略重心の位置に固定されている。このような構成となっているため、第３のアンテナ本体４ｑからの通信波はリフレクター４ｆで反射されて、前方に方向を揃えて送信されるし、第３のアンテナ本体４ｑへの通信波はリフレクター４ｆで反射されて、第３のアンテナ本体４ｑで集められる。なお、第３のアンテナ本体４ｑをアンテナケース４ｄ内でしっかりと固定するため、アンテナケース４ｄにアンテナ保持部を設け、第３のアンテナ本体４ｑを保持し固定するように構成してもよい。
【００９２】
なお、アンテナケース４ｄ内部は中空として説明してきたが、例えば樹脂等を用いて中空部に充填し、固化させた状態としてもよい。アンテナの保持が強化されるとともに、高い水圧にも耐えやすくなり、頑丈で衝撃や振動に強い通信用ケーブル４が得られる。
【００９３】
（第４の実施形態）
図１２を参照して、本発明の第３の実施形態について説明する。
この第４の実施形態は、前述した第１の実施形態と、窓越通信用アンテナ部４ｃとケーブル部４ａの構成はほぼ同一であるが、リフレクター４ｆを有していない第２の端末用アンテナ部４ｒを採用している。ここでは、異なっている部分だけ説明し、他の部分は第１の実施形態で説明した通りとする。
【００９４】
図１２に示すように、第２の端末用アンテナ部４ｒでは、ここでは、略Ω（オメガ）型の形状をしたループアンテナである第４のアンテナ本体４ｓを配設している。そして、同軸ケーブルの芯線と網組み線は、第４のアンテナ本体４ｓの２つの端部の根本の部分に、半田付け等により通電可能に接続される。
【００９５】
ここで、第４のアンテナ本体４ｓは、金属板状のものを用いてもよいし、フィルム上にアンテナが金属薄膜等で形成されているフィルムアンテナを用いてもよい。また、ワイヤー等をリング形等にフォーミングして用いてもよいし、ケーブル部４ａの端部の電線をそのまま使用し、フォーミングして用いてもよい。
また、ケーブル部４ａに同軸ケーブルを用いたが、第４のアンテナ本体４ｓで受信した無線ＬＡＮ信号をそのまま伝達することができるものであれば、他の種類の電線を用いてもよい。
【００９６】
第２の端末用アンテナ部４ｒは、一般的なインサート成形により、形成されている。すなわち、まず同軸ケーブルが接続された第４のアンテナ本体４ｓを、金型内に装填する。次に、樹脂を金型に注入し充填して、第４のアンテナ本体４ｓを溶融樹脂で包んで固化させ、一体化させる。本実施形態では、金型に注入する樹脂として、ポリカーボネイト樹脂やＡＢＳ（アクリロニトリル・ブタジエン・スチレン）樹脂等の、丈夫で剛性の高い樹脂が用いられる。
【００９７】
図１２に示すように、ケーブル部４ａの端部には、筒状のケーブル保護ブッシュ部４ｔが設けられ、ケーブル部４ａの両端の付け根部を保護している。このケーブル保護ブッシュ部４ｔは、別部品を結合させたり、第４のアンテナ本体４ｓ等と一緒にインサート成形させたりしてもよい。注入する樹脂に可撓性のあるものを使用する場合には、第２の端末用アンテナ部４ｒと一体に成型することにより、ケーブル保護ブッシュ部４ｔを形成するようにしてもよい。
【００９８】
ここで、アンテナ本体としてループアンテナを用いたが、無線ＬＡＮ信号を通信可能であれば、アンテナの形式は限定されない。例えば、Ｔ字アンテナとかバーアンテナとかを用いてもよい。また、アンテナ部は、略矩形で板状の扁平な形状であるが、これに限定されない。例えば、円盤状、ドーナツ型のリング状、長円状、長いバー状等にしてもよい。
ここで、平らなケースの上に取り付ける場合には、取り付けやすさから、アンテナ部の形が、平板状であることが好ましい。
【００９９】
また、アンテナ部を樹脂で封止する構成としたが、これに限定されない。例えば、水密に密閉された中空の樹脂容器を用いて、樹脂容器の中空部にアンテナ本体を固定して配設し、アンテナ部を構成するようにしてもよい。
【０１００】
また、通信用ケーブルのアンテナ部を接合する位置を、無線ＬＡＮ装置のアンテナ部に概略対向する位置又はその近傍としたが、これはより強い感度が得るためであり、接合位置はこれに限定されない。実用的に無線ＬＡＮ通信が可能な接合位置ならば、接合位置は広くなるので、他の部分に接合してもよい。また、水中使用の場合、アンテナ部を水密に密着させてもよいし、水中での必要な感度が得られるならば、密接させるだけでもよい。
またここで、水中使用しない無線ＬＡＮ装置の場合には、無線ＬＡＮ装置にアンテナ部を接合せずに隣接して配置しても使用が可能である。水中では電波は水に吸収されるが、空中では吸収されないからである。
【０１０１】
なお、この第４の実施形態では、第１の実施形態における第１の端末用アンテナ部４ｂからリフレクター４ｆを取り外し変えた場合を示したが、第２の実施形態や第３の実施形態についても、同様に変えてもよいことは、勿論である。
ここで、第１の実施形態乃至第４の実施形態では、アンテナ本体や端末用アンテナ部の構成は異なるが、リフレクターを有する窓越通信用アンテナ部４ｃの機能はいずれも同一であり、いずれの実施形態のものも、通信用ケーブル４（遮蔽物越し通信具）と呼ぶこととする。
【０１０２】
（第５の実施形態）
図１３（Ｃ）及び（Ｄ）を参照して、本発明の第５の実施形態について説明する。
第１の実施形態乃至第４の実施形態では水槽内の構成についての記載であったが、第５の実施形態では、水槽外に配置された第１の携帯端末３の通信システムを変更したものである。
【０１０３】
まず、図１３（Ａ）には第１の実施形態乃至第３の実施形態、図１３（Ｂ）には第４の実施形態を模式的に示している。すなわち、アクリルガラス窓Ａの内面に窓越通信用アンテナ部４ｃを配置させ、外面の、窓越通信用アンテナ部４ｃと対向する位置に第１の携帯端末３を配置して、アクリルガラス窓Ａ越しの通信を行うようにしたものである。この場合、通信させるためには、第１の携帯端末３を所定箇所にずっと保持しておく必要があり、例えば、第１の携帯端末３を手持ちで持ち続けるのは大変だった。そこで本実施形態では、外面側も、通信用ケーブルを用いるように構成した。
【０１０４】
図１３（Ｃ）に示すように、アンテナ部の一方はリフレクター４ｆを有さない通信用ケーブル４の窓越通信用アンテナ部４ｃを、内面側の窓越通信用アンテナ部４ｃと対向する外面の位置に配置して、第２の端末用アンテナ部４ｒを第１の携帯端末に固定した。このように構成すると、内面側と外面側の２つの撮像端末アンテナ部２ｅが相互に通信可能となり、防水撮像端末２と第１の携帯端末３とが通信できる状態となる。このとき、第１の携帯端末３は、通信用ケーブル４の範囲で自由に動かすことができる。そして、これをもっと簡単にしたのが、図１３（Ｄ）に示す構成である。
【０１０５】
図１３（Ｄ）に示す構成では、外面側の通信用ケーブル４を変更している。図１３（Ｃ）に示す構成では、両端にリフレクターの付いていない第２の端末用アンテナ部４ｒを備えたケーブル部４ａである伝達通信用ケーブル５を用いた。すなわち、伝達通信用ケーブル５は、図１２において、第２の端末用アンテナ部４ｒをケーブル部４ａの有している構成としたものである。ここで、水槽の外面側は、第１の携帯端末に内蔵された、リフレクターのついていない携帯端末アンテナ部３ｅで通信可能であったので、リフレクターなしでも通信可能となる。そこで、アクリルガラス窓Ａに取り付けるアンテナ部をリフレクターの付いていない第２の端末用アンテナ部４ｒと置換えたものである。
【０１０６】
ここで、図１３（Ｃ）で示したような、内面外面ともにリフレクター４ｆの付いた第２の端末用アンテナ部４ｒで行う方が、図１３（Ｄ）で示した構成より、より感度が上がり、通信がより安定する。なお、外面側の通信用ケーブル４、伝達通信用ケーブル５は空気中で使用するものなので、水密構造でなくてもよい。
【０１０７】
（第６の実施形態）
図１３（Ｅ）を参照して、本発明の第６の実施形態について説明する。
第１の実施形態乃至第５の実施形態では実施形態では、防水撮像端末２と第１の携帯端末３との一対一の通信について説明したが、本実施形態では、複数の通信装置との通信を可能とするものである。
【０１０８】
図１３（Ｅ）に示すように、通信用ケーブル４を用いて、無線ＬＡＮルーター（無線ルーター）６に接続することができる。すなわち、図１３（Ｃ）に示す構成において、第２の端末用アンテナ部４ｒを第１の携帯端末３ではなく、無線ＬＡＮルーター６に接続したものである。このように構成することにより、防水撮像端末２と無線ＬＡＮルーター６とがアクリルガラス窓Ａ越しに無線ＬＡＮ通信接続されることになる。そして、無線ＬＡＮルーター６により、水族館の複数の観客に対して、防水撮像端末２の撮像画像等をリアルタイムで配布可能となるし、また、他の無線ＬＡＮルーター６と通信したり、ネットワークＮを通じて撮像画像等を配布したりすることも可能となる。
【０１０９】
なお、ここでは、第２の端末用アンテナ部４ｒを用いて通信用ケーブル４に接続したが、両端にリフレクター４ｆのある第１の端末用アンテナ部４ｂを用いてもよい。また、通信用ケーブル４の端部にコネクターを取り付け、無線ＬＡＮルーター６のアンテナ端子にコネクターを直接接続するように構成してもよい。
【０１１０】
（第７の実施形態）
図１４を参照して、本発明の第７の実施形態について説明する。
今まで説明した実施形態では、遮蔽物として水族館におけるアクリルガラス窓Ａ越しの通信について説明してきた。本実施形態は、通信波を通しにくい建築物の壁Ｂ（遮蔽物）越しに、通信用ケーブル４を用いることにより、第１の携帯端末３と第２の携帯端末７が通信を行うことを可能とした遮蔽物越し通信システム１についてのものである。
【０１１１】
ここで、第２の携帯端末７はタブレット端末であり、略矩形で大きな扁平な形状のケースの中に、図示されない大画面のタッチパネル付の表示部を有している。第２の携帯端末７は、第１の携帯端末３と同様、Ｗｉ―Ｆｉ（登録商標）認証を受けた無線ＬＡＮ装置であり、第１の携帯端末３と相互の無線ＬＡＮ通信が可能に構成されている。しかしながら、第２の携帯端末７を隣の部屋に持ち込んだ場合、２つの部屋を仕分ける壁Ｂにより、相互の無線ＬＡＮ通信が途切れる場合があるものとする。
【０１１２】
図１４（Ａ）に示すように、通信用ケーブル４の第２の端末用アンテナ部４ｒは第１の携帯端末３に固定され、携帯端末アンテナ部３ｅと通信を行う。第２の端末用アンテナ部４ｒの受信された通信波は、そのままケーブル部４ａによって窓越通信用アンテナ部４ｃに伝達される。そして、壁Ｂの一面の所定箇所に固定された窓越通信用アンテナ部４ｃは、
通信波を束ねて、方向を揃えて送信し、通信波は壁Ｂを通過し、第２の携帯端末７の図視されない内部アンテナに到達する。
【０１１３】
逆の場合も同様であり、第２の携帯端末７からの通信波は、壁Ｂを通過し、窓越通信用アンテナ部４ｃで集められ、ケーブル部４ａを経由して、第２の端末用アンテナ部４ｒにより第１の携帯端末３に受信される。このようにして、第１の携帯端末３と第２の携帯端末７との壁Ｂ越しの通信が行われる。
【０１１４】
次に、図１４（Ｂ）に示す構成では、第２の携帯端末７側も通信用ケーブル４を使用して通信するように構成したものである。図１４（Ａ）で示した構成よりも、より感度の高い通信が可能となる。
また、図１４（Ｃ）に示す構成では、図１４（Ｂ）に示した構成の通信用ケーブル４を伝達通信用ケーブル５に変えたものである。壁Ｂに固定したアンテナ部にリフレクターがない分、図１４（Ａ）で示した構成よりも、より感度は下がるが、図１４（Ａ）で示した構成よりも、感度の高い通信が可能となる。
【０１１５】
以上説明した通り、遮蔽物越し通信システム１は、通信波の通りにくい遮蔽物として、アクリルガラス窓Ａだけでなく、建物の壁Ｂにも適用可能であり、また、建物の床や窓等にも適用が可能となる。なお、通信用ケーブル４は、いずれも空気中で使用するものであり、防水構造にはしなくてもよい。
【０１１６】
なお、以上の実施形態では、第１の携帯端末３に第２の端末用アンテナ部４ｒを用いて通信用ケーブル４に接続したが、リフレクター４ｆのある第１の端末用アンテナ部４ｂを用いてもよい。より感度が上がる。
【０１１７】
また、無線装置として第１の携帯端末３と第２の携帯端末７との組み合わせの例を示したが、これに限定されないことは勿論である。例えば、監視カメラ等のいわゆるネットワーク・カメラや、いわゆるネットワーク・テレビ、ネットワーク・オーディオ等と組み合わせてもよいのは、勿論である。
【０１１８】
（第８の実施形態）
図１５を参照して、本発明の第８の実施形態について説明する。
本実施形態は、通信装置が無線ＬＡＮルーターであって、２つの無線ＬＡＮルーターを壁越しに通信させる遮蔽物越し通信システム１に関するものである。
【０１１９】
いわゆるマンションの横並びの２室を使用するような場合、１室では無線ＬＡＮルーターを使用しているが、２室を仕切る壁Ｂのため、隣室では無線ＬＡＮは使えないというようなことがある。このような場合、２室を有線のＬＡＮケーブルを用いて結ぶのもなかなか難しく、簡単な構成で壁Ｂ越え通信できる装置が求められている。
【０１２０】
図１５（Ａ）に示すように、ネットワークＮに接続された無線ＬＡＮルーター６の親機が設けられ、更に無線ＬＡＮルーター６の子機に無線ＬＡＮ接続されているような場合を考える。この場合、壁Ｂにより、隣室には無線ＬＡＮ信号は届かないものとする。
ここで、無線ＬＡＮルーター６の子機（第１の通信装置）に通信用ケーブル４（第１の通信線）を接続し、リフレクター４ｆを有する窓越通信用アンテナ部４ｃを壁Ｂの一面の所定箇所に固定する。
【０１２１】
そして、隣室においても、無線ＬＡＮルーター６の別の子機（第２の通信装置）に通信用ケーブル４（第２の通信線）を接続し、リフレクター４ｆを有する窓越通信用アンテナ部４ｃを壁Ｂの他面の、対向するところに窓越通信用アンテナ部４ｃを固定する。このようにして、壁Ｂ越しの無線ＬＡＮ通信をさせ、隣室でも無線ＬＡＮルーター６の別の子機により、無線ＬＡＮ通信をすることを可能とした。
【０１２２】
ここで、壁Ｂに鉄筋が入っている個所では、通信波が吸収され、通信は困難となる。そこで、あらかじめ設計図面や鉄筋探査機により鉄筋の位置を確認し、窓越通信用アンテナ部４ｃを壁Ｂの一面の所定箇所に固定する。次に隣室では、壁際の電波感度を測定し、感度の得られた他面の所定箇所に、窓越通信用アンテナを設置する。
【０１２３】
窓越通信用アンテナ部４ｃは、コンパクトに形成されているので、ピンポイントで通信できる個所を選ぶことができる。また、リフレクター４ｆは横長であり、窓越通信用アンテナ部４ｃを縦にしたり、横にしたりすることは有効である。壁Ｂの一面と他面の窓越通信用アンテナ部４ｃについて、例えば方向を揃え縦同士に組み合わせれば、感度の高い通信が可能となり、縦と横とにして組み合わせれば、感度の得られる幅は大きくなるが、感度は下がる。なお、感度が得られるのならば、一方の窓越通信用アンテナ部４ｃとして、リフレクターのない第２の端末用アンテナ部４ｒを使用してもよい。
【０１２４】
なお、無線ＬＡＮルーター６と通信用ケーブル４との接続においては、通信用ケーブル４の端部に設けられた第１の端末用アンテナ部４ｂや第２の端末用アンテナ部４ｒを、無線ＬＡＮルーター６の外筐に固定し取り付けてもよい。また、通信用ケーブル４の端部にコネクターを取り付け、無線ＬＡＮルーター６のアンテナ端子に直接接続するように構成してもよい。また、無線ＬＡＮルーター６の子機ではなく、親機に通信用ケーブル４を直接接続するようにしてもよい。
【０１２５】
図１５（Ｂ）に示すように、通信用ケーブル４との接続された無線ＬＡＮルーター６の代わりに、無線ＬＡＮルーター６と窓越通信用アンテナ部４ｃとが一体に内蔵された、窓越通信用アンテナ部付き無線ＬＡＮルーター８を用いてもよい。無線ＬＡＮルーター６の取り付けが、より簡単になる。
【０１２６】
本実施形態のように構成することにより、横並びの２室を使用するような場合、隣室でも無線ＬＡＮルーターを使用することができるようになった。
【０１２７】
なお、以上の無線装置としては、無線ＬＡＮ通信の規格としてＷｉ―Ｆｉ（登録商標）規格の例を上げたが、無線ＬＡＮ装置が通信可能な無線ＬＡＮ通信規格であれば、これに限定されない。また、本発明は、無線ＬＡＮ通信に限定されない。Ｂｌｕｅｔｏｏｔｈ（登録商標）等、いろいろな無線装置に適用することが可能である。また、無線ＬＡＮ装置に内蔵される無線ＬＡＮ通信用アンテナの位置についても、一例を上げたものであり、これに限定はされない。
【０１２８】
また、アンテナ本体の形状等について、無線ＬＡＮ信号を通信可能であれば、アンテナの形式は限定されない。例えば、円盤状、ドーナツ型のリング状、長円状、長いバー状等にしてもよい。また、これらのアンテナを、ケーブル部の端部をフォーミングするようにして形成してもよい。
【０１２９】
また、通信用ケーブルの両端に設けられた２つのアンテナ部は、同一の形状及び構成を有するものとしたが、これに限定されず、一方のアンテナ部を他方と違った形状及び構成にしてもよい。
【０１３０】
また、ケーブル部に用いられる同軸ケーブルには、アルミ箔等により単数又は複数のシールド層を設けたものを用いてもよい。不要輻射を防止するためである。また、ケーブル部は、外皮等が耐水性や耐海水性等に強いものを用いることが好ましく、必要に応じて耐衝撃性に強いケーブルを用いてもよい。
【０１３１】
また、アンテナ部と無線ＬＡＮ装置のケースとの接合部の構成として、アンテナ部に粘着部を設けて接合する構成と、アンテナ部等を付勢してケースと密着させる構成とを示したが、これに限定されない。例えば、アンテナ部に吸盤を設けたり、アンテナ部とケースに互いに引き合う磁石等を配置する構成にしたりして、接合部を構成してもよいことは勿論である。なお、吸盤で構成した場合には、アンテナ部を外殻体に取り付けたときに出っ張る高さが大きくなる。
【０１３２】
また、本発明の遮蔽物越し通信システム１は、以下のようにも表現することができる。
すなわち本発明は、通信波が通り抜けにくい遮蔽物越しの通信を行う遮蔽物越し通信システム及び遮蔽物越し無線通信具であって、遮蔽物の一面に通信波の方向に揃えるリフレクターを有する第１のアンテナが配置され、遮蔽物の他面の、第１のアンテナの略対向する位置に第２のアンテナが配置されて、第１のアンテナからの通信波はリフレクターで方向を揃えられて遮蔽物に向かって送信され、遮蔽物を通過した通信波は第２のアンテナで受信され、第２のアンテナから送信され遮蔽物を通過した通信波は、第１のアンテナのリフレクターで集められて受信されるようにして、通信が行われるように構成したので、簡単な構成で、より強力に通信波が遮蔽物を通り抜け通信させることができる遮蔽物越し通信システム及び遮蔽物越し無線通信具が得られるというものである。
【０１３３】
また、本発明の遮蔽物越し通信システム及び遮蔽物越し通信具は、前述しかつ図面に示した実施の形態に限定されるものではなく、その要旨を逸脱しない範囲内で種々の変形実施が可能である。
【０１３４】
例えば、上述した実施の形態においては、通信装置として防水撮像端末と携帯端末、タブレット端末や無線ルーター等に適用した例について説明しているが、これに限定されず、ＰＤＡ、パソコン、デジタルカメラ、携帯用ゲーム機、携帯電話、携帯情報端末、デジタルカメラ、携帯型音声再生機その他の通信装置に適用できるものである。また、腕時計型端末やＨＭＤ（ヘッド・マウント・ディスプレイ）等のいわゆるウェアラブル通信端末等にも適用できるものである。
【符号の説明】
【０１３５】
１  遮蔽物越し通信システム
２  防水撮像端末
２ａ  撮像端末用防水ケース
２ｂ  撮像端末用操作部
２ｃ  撮像レンズ
２ｄ  液晶モニター
２ｅ  撮像端末アンテナ部
２ｆ  撮像素子
２ｇ  映像信号処理回路
２ｈ  防水マイク
２ｉ  音声信号処理回路
２ｊ  制御部
２ｋ  メモリ
２ｍ  映像表示信号処理回路
２ｎ  無線通信部
３  第１の携帯端末
３ａ  ケース
３ｂ  撮像レンズ
３ｃ  タッチパネル付の表示部
３ｄ  操作部
３ｅ  携帯端末アンテナ部
３ｆ  スピーカ
３ｇ  映像表示信号処理回路
３ｈ  音声信号処理回路
３ｊ  制御部
３ｋ  メモリ
３ｎ  無線通信部
４  通信用ケーブル
４ａ  ケーブル部
４ｂ  第１の端末用アンテナ部
４ｃ  窓越通信用アンテナ部
４ｄ  アンテナケース
４ｅ  第１のアンテナ本体
４ｆ  リフレクター
４ｇ  粘着部
４ｈ  窓越通信用アンテナ用保持具
４ｉ  窓越通信用アンテナ用保持具用粘着シート
４ｊ  リフレクターケース
４ｋ  蓋状ケース
４ｌ  オーリング
４ｍ  ブッシュ
４ｎ  ケース固定テープ
４ｐ  第２のアンテナ本体
４ｑ  第３のアンテナ本体
４ｒ  第２の端末用アンテナ部
４ｓ  第４のアンテナ本体
４ｔ  ケーブル保護ブッシュ部
５  伝達通信用ケーブル
６  無線ＬＡＮルーター
７  第２の携帯端末
８  窓越通信用アンテナ部付き無線ＬＡＮルーター
Ａ  アクリルガラス窓
Ｓ  水面
Ｆ  魚
Ｎ  ネットワーク
Ｂ  壁
【図１】
2019193048.tif 000003
【図２】
2019193048.tif 000004
【図３】
2019193048.tif 000005
【図４】
2019193048.tif 000006
【図５】
2019193048.tif 000007
【図６】
2019193048.tif 000008
【図７】
2019193048.tif 000009
【図８】
2019193048.tif 000010
【図９】
2019193048.tif 000011
【図１０】
2019193048.tif 000012
【図１１】
2019193048.tif 000013
【図１２】
2019193048.tif 000014
【図１３】
2019193048.tif 000015
【図１４】
2019193048.tif 000016
【図１５】
2019193048.tif 000017